【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
同一被検者の同一部位を複数回Ｘ線撮影することで得られた複数枚の画像が時系列順に並べられたＸ線画像群に対して、所定構造物による空間的信号変化を減弱する構造物減弱手段を備えた画像処理装置において、
前記構造物減弱手段は、前記Ｘ線画像群中の各画像の前記所定構造物による空間的信号変化を前記Ｘ線画像群中の当該画像とは別の画像の情報を用いて減弱する画像処理装置。
【請求項２】
前記構造物減弱手段は、
前記Ｘ線画像群中の各画像から前記所定構造物の領域を抽出する抽出手段と、
前記Ｘ線画像群中の各画像について、前記抽出手段による抽出結果を前記Ｘ線画像群中の当該画像とは別の画像についての抽出結果と照合し、その照合結果に基づいて、当該画像の抽出結果を修正する照合手段と、
前記照合手段による処理後の抽出結果に基づいて、前記Ｘ線画像群中の各画像から前記所定構造物の領域を特定し、当該領域における空間的信号変化を減弱する減弱手段と、
を備える請求項１に記載の画像処理装置。
【請求項３】
前記照合手段により前記抽出手段による抽出結果の修正が行われた画像に対し、前記修正された抽出結果に基づいて前記所定構造物の領域の抽出をし直す再抽出手段を備える請求項２に記載の画像処理装置。
【請求項４】
前記照合手段は、前記Ｘ線画像群中の各画像についての前記抽出手段による抽出結果を、当該Ｘ線画像群中で時系列が連続する複数枚の画像についての抽出結果と照合する請求項２又は３に記載の画像処理装置。
【請求項５】
前記照合手段は、前記Ｘ線画像群中の各画像について、画素毎又は複数の画素からなる小領域毎に、当該画像及び当該画像に時系列が連続する複数の画像のうち所定数以上において当該画素又は当該小領域が前記所定構造物の領域として抽出されたか否かを判定し、その判定結果と、当該画像の当該画素又は当該小領域における抽出結果とが異なる場合に、当該画像の当該画素又は当該小領域における抽出結果を前記判定結果と同一の結果に修正する請求項４に記載の画像処理装置。
【請求項６】
前記照合手段は、前記Ｘ線画像群中の各画像について、前記抽出手段により前記所定構造物の領域として抽出された画素又は小領域に所定の数値を割り当て、前記抽出手段により前記所定構造物の領域として抽出されなかった画素又は小領域に０を割り当て、各画像の画素毎又は小領域毎に、当該画像及び当該画像に時系列が連続する複数の画像に割り当てられた数値を加算し、加算した結果が所定の閾値以上である画素又は小領域を前記所定構造物の領域と判定し、その判定結果と、当該画像の当該画素又は当該小領域における抽出結果とが異なる場合に、当該画像の当該画素又は当該小領域における抽出結果を前記判定結果と同一の結果に修正する請求項４に記載の画像処理装置。
【請求項７】
前記照合手段は、前記各画像の画素毎又は複数の画素からなる小領域毎に、当該画像及び当該画像に時系列が連続する複数の画像に割り当てられた数値を加算する際に、当該画像及び当該画像に連続する複数の画像のそれぞれに重み付け係数を付与し、前記割り当てられた数値に前記付与された重み付け係数を乗算した値を加算した結果が所定の閾値以上である画素又は小領域を前記所定構造物の領域と判定する請求項６に記載の画像処理装置。
【請求項８】
前記Ｘ線画像群の被写体部位は、胸部であり、
前記Ｘ線画像群中の各画像の呼吸位相を認識する認識手段を備え、
前記照合手段は、前記照合の対象となる画像の呼吸位相に基づいて、当該照合対象の画像及び当該画像との照合に用いる画像に割り当てる重み付け係数を変更する請求項７に記載の画像処理装置。
【請求項９】
前記Ｘ線画像群の被写体部位は、胸部であり、
前記Ｘ線画像群中の各画像の呼吸位相を認識する認識手段を備え、
前記照合手段は、前記照合の対象となる画像の呼吸位相に基づいて、当該画像との照合に用いる画像の数を変更する請求項２〜８の何れか一項に記載の画像処理装置。
【請求項１０】
前記構造物減弱手段は、
前記Ｘ線画像群中の何れか一以上の画像から前記所定構造物の領域を抽出する第一の抽出手段と、
前記第一の抽出手段により抽出された前記所定構造物の領域を参照して、前記Ｘ線画像群中の前記第一の抽出手段による抽出対象となっていない他の画像から前記所定構造物の領域を抽出する第二の抽出手段と、
前記所定構造物の領域の抽出結果に基づいて、前記Ｘ線画像群中の各画像から前記所定構造物の領域を特定し、当該領域における空間的信号変化を減弱する減弱手段と、
を備える請求項１に記載の画像処理装置。
【請求項１１】
前記構造物減弱手段は、前記Ｘ線画像群中の各画像における前記所定構造物の空間的信号変化の減弱処理後に、前記Ｘ線画像群中の各画像における前記所定構造物の空間的信号変化の減弱結果を当該画像とは別の画像の減弱結果と照合し、照合の結果、前記別の画像と比べて前記所定構造物の空間的信号変化の減弱度合いが低い場合に、その画像の前記所定構造物の空間的信号変化の減弱処理をやり直す請求項１〜１０の何れか一項に記載の画像処理装置。
【請求項１２】
前記構造物減弱手段は、
前記Ｘ線画像群中の各画像に対し、当該画像の前記所定構造物による空間的信号変化を減弱するために用いる前記所定構造物の濃度プロファイルを作成する濃度プロファイル作成手段と、
前記作成された各画像の濃度プロファイルを、当該濃度プロファイルを用いた減弱処理を行う前に、当該画像の濃度プロファイルと、少なくとも一枚の当該画像とは別の画像の濃度プロファイルに基づいて補正する濃度プロファイル補正手段と、
を備える請求項１〜１１の何れか一項に記載の画像処理装置。
【請求項１３】
前記少なくとも一枚の当該画像とは別の画像の濃度プロファイルは、時系列順が当該画像の前後の複数の画像の濃度プロファイルから求めた代表値である請求項１２に記載の画像処理装置。
【請求項１４】
前記代表値は、中央値である請求項１３に記載の画像処理装置。
【請求項１５】
前記Ｘ線画像群は、被写体部位の動態を示す複数のフレーム画像である請求項１〜１４の何れか一項に記載の画像処理装置。
【請求項１６】
前記Ｘ線画像群は、同一被写体の同一部位を、一定期間以上経て撮影された少なくとも２枚以上の画像である請求項１〜１４の何れか一項に記載の画像処理装置。
【請求項１７】
同一被検者の同一部位を複数回Ｘ線撮影することで得られた複数枚の画像が時系列順に並べられたＸ線画像群に対して、所定構造物による空間的信号変化を減弱する画像処理装置に用いられるコンピューターを、
前記Ｘ線画像群中の各画像の前記所定構造物による空間的信号変化を前記Ｘ線画像群中の当該画像とは別の画像の情報を用いて減弱する構造物減弱手段、
として機能させるためのプログラム。
【手続補正２】
【補正対象書類名】明細書
【補正対象項目名】００１７
【補正方法】変更
【補正の内容】
【００１７】
請求項４に記載の発明は、請求項２又は３に記載の発明において、
前記照合手段は、前記Ｘ線画像群中の各画像についての前記抽出手段による抽出結果を、当該Ｘ線画像群中で時系列が連続する複数枚の画像についての抽出結果と照合する。
【手続補正３】
【補正対象書類名】明細書
【補正対象項目名】００２０
【補正方法】変更
【補正の内容】
【００２０】
請求項７記載の発明は、請求項６に記載の発明において、
前記照合手段は、前記各画像の画素毎又は複数の画素からなる小領域毎に、当該画像及び当該画像に時系列が連続する複数の画像に割り当てられた数値を加算する際に、当該画像及び当該画像に連続する複数の画像のそれぞれに重み付け係数を付与し、前記割り当てられた数値に前記付与された重み付け係数を乗算した値を加算した結果が所定の閾値以上である画素又は小領域を前記所定構造物の領域と判定する。
【手続補正４】
【補正対象書類名】明細書
【補正対象項目名】００２３
【補正方法】変更
【補正の内容】
【００２３】
請求項１０に記載の発明は、請求項１に記載の発明において、
前記構造物減弱手段は、
前記Ｘ線画像群中の何れか一以上の画像から前記所定構造物の領域を抽出する第一の抽出手段と、
前記第一の抽出手段により抽出された前記所定構造物の領域を参照して、前記Ｘ線画像群中の前記第一の抽出手段による抽出対象となっていない他の画像から前記所定構造物の領域を抽出する第二の抽出手段と、
前記所定構造物の領域の抽出結果に基づいて、前記Ｘ線画像群中の各画像から前記所定構造物の領域を特定し、当該領域における空間的信号変化を減弱する減弱手段と、
を備える。
【手続補正５】
【補正対象書類名】明細書
【補正対象項目名】００２５
【補正方法】変更
【補正の内容】
【００２５】
請求項１２に記載の発明は、請求項１〜１１の何れか一項に記載の発明において、
前記構造物減弱手段は、
前記Ｘ線画像群中の各画像に対し、当該画像の前記所定構造物による空間的信号変化を減弱するために用いる前記所定構造物の濃度プロファイルを作成する濃度プロファイル作成手段と、
前記作成された各画像の濃度プロファイルを、当該濃度プロファイルを用いた減弱処理を行う前に、当該画像 の濃度プロファイルと、少なくとも一枚の当該画像とは別の画像の濃度プロファイルに基づいて補正する濃度プロファイル補正手段と、
を備える。
請求項１３に記載の発明は、請求項１２に記載の発明において、
前記少なくとも一枚の当該画像とは別の画像の濃度プロファイルは、時系列順が当該画像の前後の複数の画像の濃度プロファイルから求めた代表値である。
請求項１４に記載の発明は、請求項１３に記載の発明において、
前記代表値は、中央値である。
【手続補正６】
【補正対象書類名】明細書
【補正対象項目名】００２６
【補正方法】変更
【補正の内容】
【００２６】
請求項１５に記載の発明は、請求項１〜１４の何れか一項に記載の発明において、
前記Ｘ線画像群は、被写体部位の動態を示す複数のフレーム画像である。
【手続補正７】
【補正対象書類名】明細書
【補正対象項目名】００２７
【補正方法】変更
【補正の内容】
【００２７】
請求項１６に記載の発明は、請求項１〜１４の何れか一項に記載の発明において、
前記Ｘ線画像群は、同一被写体の同一部位を、一定期間以上経て撮影された少なくとも２枚以上の画像である。
【手続補正８】
【補正対象書類名】明細書
【補正対象項目名】００２８
【補正方法】変更
【補正の内容】
【００２８】
請求項１７に記載の発明のプログラムは、
同一被検者の同一部位を複数回Ｘ線撮影することで得られた複数枚の画像が時系列順に並べられたＸ線画像群に対して、所定構造物による空間的信号変化を減弱する画像処理装置に用いられるコンピューターを、
前記Ｘ線画像群中の各画像の前記所定構造物による空間的信号変化を前記Ｘ線画像群中の当該画像とは別の画像の情報を用いて減弱する構造物減弱手段、
として機能させる。